(57)【要約】【課題】レガシーシステムをサポートするための新しい多重化のためのアップリンク構造を提供する。【解決手段】ダイバーシティモードの１６ｍシステムは、ＰＵＳＣモードの１６ｅシステムと同一のタイル／パーミューテーション規則を有してＦＤＭ方式で多重化される。１６ｍシステムは、ＡＭＣモードの１６ｅシステムとＦＤＭ方式及び／又はＴＤＭ方式で多重化される。多重化された１６ｅ  ＰＵＳＣパケット及び／又は１６ｍパケットの時間長さは、アップリンクカバレッジのために二つ以上のサブフレームに拡張される。ＦＤＭ方式で多重化するとき、１６ｍシステムのためのＰＲＵは、１６個のサブキャリア及び６個のＯＦＤＭＡシンボル、１８個のサブキャリア及び６個のＯＦＤＭＡシンボル、又は２０個のサブキャリア及び６個のＯＦＤＭＡシンボルで構成される。【選択図】図１０
2011512746.tif 000002
【特許請求の範囲】
【請求項１】
移動通信機器と基地局との間でデータを通信するデータ通信方法であって、
１番目の通信モードのタイルを２番目の通信モードのタイルと周波数多重化し、周波数多重化されたサブフレームを生成することを含み、
前記１番目の通信モードのタイルは、Ｘ１個の連続的なサブキャリア及びＹ１個の連続的なＯＦＤＭＡシンボルを含み、
前記２番目の通信モードのタイルは、Ｘ２個の連続的なサブキャリア及びＹ２個の連続的なＯＦＤＭＡシンボルを含み、
Ｘ１＝Ｘ２で、Ｙ２はＹ１の倍数である、データ通信方法。
【請求項２】
前記倍数は整数倍である、請求項１に記載のデータ通信方法。
【請求項３】
前記倍数は２倍である、請求項１に記載のデータ通信方法。
【請求項４】
Ｘ１＝Ｘ２＝４で、Ｙ１＝３で、Ｙ２＝６である、請求項１に記載のデータ通信方法。
【請求項５】
前記１番目の通信モードはＰＵＳＣ（Ｐａｒｔｉａｌ  Ｕｓａｇｅ  ｏｆ  Ｓｕｂ―Ｃｈａｎｎｅｌｓ）サブチャンネル化を含む、請求項１に記載のデータ通信方法。
【請求項６】
前記２番目の通信モードはタイルパーミュテーションを含む、請求項１に記載のデータ通信方法。
【請求項７】
前記周波数多重化されたサブフレームを３番目の通信モードの２番目のサブフレームと時分割多重化することをさらに含む、請求項１に記載のデータ通信方法。
【請求項８】
前記３番目の通信モードは、隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含む、請求項７に記載のデータ通信方法。
【請求項９】
前記３番目の通信モードは分散サブキャリアパーミュテーションを含む、請求項７に記載のデータ通信方法。
【請求項１０】
３番目の通信モードの物理資源ユニット（Ｐｈｙｓｉｃａｌ  Ｒｅｓｏｕｒｃｅ  Ｕｎｉｔ、ＰＲＵ）を４番目の通信モードのＰＲＵと周波数多重化し、２番目の周波数多重化サブフレームを生成し、
前記周波数多重化されたサブフレームと前記２番目の周波数多重化されたサブフレームを時分割多重化することをさらに含み、
前記３番目の通信モードのＰＲＵは、Ｘ３個の連続的なサブキャリア及びＹ３個の連続的なＯＦＤＭＡシンボルを含み、
前記４番目の通信モードのＰＲＵは、Ｘ４個の連続的なサブキャリア及びＹ４個の連続的なＯＦＤＭＡシンボルを含み、
Ｘ３＝Ｘ４で、Ｙ４はＹ３の倍数である、請求項１に記載のデータ通信方法。
【請求項１１】
Ｘ３＝Ｘ４＝１８で、Ｙ３＝３で、Ｙ４＝６である、請求項１０に記載のデータ通信方法。
【請求項１２】
前記３番目の通信モードは、隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含み、前記４番目の通信モードは隣接サブキャリアパーミュテーション及び分散サブキャリアパーミュテーションを含む、請求項１０に記載のデータ通信方法。
【請求項１３】
前記周波数多重化されたサブフレームを前記移動通信機器から前記基地局に送信することをさらに含む、請求項１に記載のデータ通信方法。
【請求項１４】
移動通信機器と基地局との間でデータを通信するデータ通信方法であって、
周波数多重化されたサブフレームを周波数逆多重化し、１番目の通信モードのタイル及び２番目の通信モードのタイルを形成することを含み、
前記１番目の通信モードのタイルは、Ｘ１個の連続的なサブキャリア及びＹ１個の連続的なＯＦＤＭＡシンボルを含み、
前記２番目の通信モードのタイルは、Ｘ２個の連続的なサブキャリア及びＹ２個の連続的なＯＦＤＭＡシンボルを含み、
Ｘ１＝Ｘ２で、Ｙ２はＹ１の倍数である、データ通信方法。
【請求項１５】
前記倍数は整数倍である、請求項１４に記載のデータ通信方法。
【請求項１６】
前記倍数は２倍である、請求項１４に記載のデータ通信方法。
【請求項１７】
Ｘ１＝Ｘ２＝４で、Ｙ１＝３で、Ｙ２＝６である、請求項１４に記載のデータ通信方法。
【請求項１８】
前記１番目の通信モードは、ＰＵＳＣ（Ｐａｒｔｉａｌ  Ｕｓａｇｅ  ｏｆ  Ｓｕｂ―Ｃｈａｎｎｅｌｓ）サブチャンネル化を含む、請求項１４に記載のデータ通信方法。
【請求項１９】
前記２番目の通信モードはタイルパーミュテーションを含む、請求項１４に記載のデータ通信方法。
【請求項２０】
データを時分割逆多重化し、前記周波数多重化されたサブフレーム及び３番目の通信モードの２番目のサブフレームを得る、請求項１４に記載のデータ通信方法。
【請求項２１】
前記３番目の通信モードは隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含む、請求項２０に記載のデータ通信方法。
【請求項２２】
前記３番目の通信モードは分散サブキャリアパーミュテーションを含む、請求項２０に記載のデータ通信方法。
【請求項２３】
データを時分割逆多重化し、前記周波数多重化されたサブフレーム及び２番目の周波数多重化されたサブフレームを獲得し、
前記２番目の周波数多重化されたサブフレームを周波数逆多重化し、３番目の通信モードのＰＲＵ及び４番目の通信モードのＰＲＵを形成することを含み、
前記３番目の通信モードのＰＲＵは、Ｘ３個の連続的なサブキャリア及びＹ３個の連続的なＯＦＤＭＡシンボルを含み、
前記４番目の通信モードのＰＲＵは、Ｘ４個の連続的なサブキャリア及びＹ４個の連続的なＯＦＤＭＡシンボルを含み、
Ｘ３＝Ｘ４で、Ｙ４はＹ３の倍数である、請求項１４に記載のデータ通信方法。
【請求項２４】
Ｘ３＝Ｘ４＝１８で、Ｙ３＝３で、Ｙ４＝６である、請求項２３に記載のデータ通信方法。
【請求項２５】
前記３番目の通信モードは隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含み、前記４番目の通信モードは分散サブキャリアパーミュテーションを含む、請求項２３に記載のデータ通信方法。
【請求項２６】
前記周波数多重化されたサブフレームを前記移動通信機器から前記基地局で受信することをさらに含む、請求項１４に記載のデータ通信方法。
【請求項２７】
基地局と無線で通信するようになっている移動通信機器であって、
無線周波数（Ｒａｄｉｏ  Ｆｒｅｑｕｅｎｃｙ、ＲＦ）ユニットと、
前記ＲＦユニットに作動可能に連結されており、１番目の通信モードのタイルを２番目の通信モードのタイルと周波数多重化し、周波数多重化されたサブフレームを生成するようになっているプロセッサと、を含み、
前記１番目の通信モードのタイルは、Ｘ１個の連続的なサブキャリア及びＹ１個の連続的なＯＦＤＭＡシンボルを含み、
前記２番目の通信モードのタイルは、Ｘ２個の連続的なサブキャリア及びＹ２個の連続的なＯＦＤＭＡシンボルを含み、
Ｘ１＝Ｘ２で、Ｙ２はＹ１の倍数である、移動通信機器。
【請求項２８】
前記倍数は整数倍である、請求項２７に記載の移動通信機器。
【請求項２９】
前記倍数は２倍である、請求項２７に記載の移動通信機器。
【請求項３０】
Ｘ１＝Ｘ２＝４で、Ｙ１＝３で、Ｙ２＝６である、請求項２７に記載の移動通信機器。
【請求項３１】
前記１番目の通信モードはＰＵＳＣサブチャンネル化を含む、請求項２７に記載の移動通信機器。
【請求項３２】
前記２番目の通信モードはタイルパーミュテーションを含む、請求項２７に記載の移動通信機器。
【請求項３３】
前記プロセッサは、追加的に前記周波数多重化されたサブフレームを３番目の通信モードの２番目のサブフレームと時分割多重化するようになっている、請求項２７に記載の移動通信機器。
【請求項３４】
前記３番目の通信モードは隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含む、請求項３３に記載の移動通信機器。
【請求項３５】
前記３番目の通信モードは分散サブキャリアパーミュテーションを含む、請求項３３に記載の移動通信機器。
【請求項３６】
前記プロセッサは、追加的に、３番目の通信モードの物理資源ユニット（Ｐｈｙｓｉｃａｌ  Ｒｅｓｏｕｒｃｅ  Ｕｎｉｔ、ＰＲＵ）を４番目の通信モードのＰＲＵと周波数多重化し、２番目の周波数多重化サブフレームを生成した後、前記周波数多重化されたサブフレームと前記２番目の周波数多重化されたサブフレームを時分割多重化するようになっており、
前記３番目の通信モードのＰＲＵは、Ｘ３個の連続的なサブキャリア及びＹ３個の連続的なＯＦＤＭＡシンボルを含み、
前記４番目の通信モードのＰＲＵは、Ｘ４個の連続的なサブキャリア及びＹ４個の連続的なＯＦＤＭＡシンボルを含み、
Ｘ３＝Ｘ４で、Ｙ４はＹ３の倍数である、請求項２７に記載の移動通信機器。
【請求項３７】
Ｘ３＝Ｘ４＝１８で、Ｙ３＝３で、Ｙ４＝６である、請求項３６に記載の移動通信機器。
【請求項３８】
前記３番目の通信モードは隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含み、前記４番目の通信モードは分散サブキャリアパーミュテーションを含む、請求項３６に記載の移動通信機器。
【請求項３９】
前記プロセッサは、追加的に前記周波数多重化されたサブフレームを前記移動通信機器から前記基地局に送信するようになっている、請求項２７に記載の移動通信機器。
【請求項４０】
移動通信機器と無線で通信するようになっている基地局であって、
無線周波数（Ｒａｄｉｏ  Ｆｒｅｑｕｅｎｃｙ、ＲＦ）ユニットと、
前記無線周波数ユニットに作動可能に連結されており、周波数多重化されたサブフレームを周波数逆多重化し、１番目の通信モードのタイル及び２番目の通信モードのタイルを形成するようになっているプロセッサと、を含み、
前記１番目の通信モードのタイルは、Ｘ１個の連続的なサブキャリア及びＹ１個の連続的なＯＦＤＭＡシンボルを含み、
前記２番目の通信モードのタイルは、Ｘ２個の連続的なサブキャリア及びＹ２個の連続的なＯＦＤＭＡシンボルを含み、
Ｘ１＝Ｘ２で、Ｙ２はＹ１の倍数である、移動通信機器。
【請求項４１】
前記倍数は整数倍である、請求項４０に記載の移動通信機器。
【請求項４２】
前記倍数は２倍である、請求項４０に記載の移動通信機器。
【請求項４３】
Ｘ１＝Ｘ２＝４で、Ｙ１＝３で、Ｙ２＝６である、請求項４０に記載の移動通信機器。
【請求項４４】
前記１番目の通信モードはＰＵＳＣサブチャンネル化を含む、請求項４０に記載の移動通信機器。
【請求項４５】
前記２番目の通信モードはタイルパーミュテーションを含む、請求項４０に記載の移動通信機器。
【請求項４６】
前記プロセッサは、追加的にデータを時分割逆多重化し、前記周波数多重化されたサブフレーム及び３番目の通信モードの２番目のサブフレームを得るようになっている、請求項４０に記載の移動通信機器。
【請求項４７】
前記３番目の通信モードは隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含む、請求項４６に記載の移動通信機器。
【請求項４８】
前記３番目の通信モードは分散サブキャリアパーミュテーションを含む、請求項４６に記載の移動通信機器。
【請求項４９】
前記プロセッサは、追加的に、データを時分割逆多重化し、前記周波数多重化されたサブフレーム及び２番目の周波数多重化されたサブフレームを獲得し、前記２番目の周波数多重化されたサブフレームを周波数逆多重化し、３番目の通信モードのＰＲＵ及び４番目の通信モードのＰＲＵを形成するようになっており、
前記３番目の通信モードのＰＲＵは、Ｘ３個の連続的なサブキャリア及びＹ３個の連続的なＯＦＤＭＡシンボルを含み、
前記４番目の通信モードのＰＲＵは、Ｘ４個の連続的なサブキャリア及びＹ４個の連続的なＯＦＤＭＡシンボルを含み、
Ｘ３＝Ｘ４で、Ｙ４はＹ３の倍数である、請求項４０に記載の移動通信機器。
【請求項５０】
Ｘ３＝Ｘ４＝１８で、Ｙ３＝３で、Ｙ４＝６である、請求項４９に記載の移動通信機器。
【請求項５１】
前記３番目の通信モードは、隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含み、前記４番目の通信モードは分散サブキャリアパーミュテーションを含む、請求項４９に記載の移動通信機器。
【請求項５２】
前記プロセッサは、追加的に前記周波数多重化されたサブフレームを前記移動通信機器から前記基地局で受信するようになっている、請求項４０に記載の移動通信機器。
【発明の詳細な説明】
【技術分野】
【０００１】
本発明は、レガシーシステム（ｌｅｇａｃｙ  ｓｙｓｔｅｍ）をサポートするための資源割り当てのための多重化構造を設計する方法に関するもので、特に、アップリンク資源ユニット及び分散資源割り当て方法に関するものである。
【背景技術】
【０００２】
８０２．１６ｍ修正案（８０２．１６ｍ  ａｍｅｎｄｍｅｎｔ）は、２００６年１２月６日に承認されたように、Ｐ８０２．１６  ＰＡＲ（Ｐ８０２．１６  ｐｒｏｊｅｃｔ  ａｕｔｈｏｒｉｚａｔｉｏｎ  ｒｅｑｕｅｓｔ）及びＩＥＥＥ  ８０２．１６―０６／０５５ｒ３の五つの条件技術（Ｆｉｖｅ  Ｃｒｉｔｅｒｉａ  Ｓｔａｔｅｍｅｎｔ）によって発展してきた。また、ＰＡＲによって、この標準は、ＩＥＥＥ  Ｓｔｄ．  ８０２．１６に対する修正案として発展してきた。８０２．１６ｍ修正案は、レガシー（ｌｅｇａｃｙ）ＷｉｒｅｌｅｓｓＭＡＮ―ＯＦＤＭＡ装備をサポートすることができる。
【０００３】
従来のＩＥＥＥ  ８０２．１６ｅシステムで、基本スロット構造及びデータ領域は、次のように定義される。ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ＰＨＹ内の「スロット」は、時間及びサブチャンネル次元を必要とし、最小の可能なデータ割り当てユニットとして機能する。ＯＦＤＭＡスロットの定義は、ＯＦＤＭＡシンボル構造に左右される。ＯＦＤＭＡシンボル構造は、アップリンク（ｕｐｌｉｎｋ、ＵＬ）及びダウンリンク（ｄｏｗｎｌｉｎｋ、ＤＬ）、ＦＵＳＣ（Ｆｕｌｌ  Ｕｓａｇｅ  ｏｆ  Ｓｕｂ―Ｃｈａｎｎｅｌｓ）及びＰＵＳＣ（Ｐａｒｔｉａｌ  Ｕｓａｇｅ  ｏｆ  Ｓｕｂ―Ｃｈａｎｎｅｌｓ）、分散サブキャリアパーミュテーション及び隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）によって変化する。
【０００４】
分散サブキャリアパーミュテーションを使用するＤＬオプションＦＵＳＣ及びＤＬ  ＦＵＳＣに対して、一つのスロットは一つのサブチャンネル及び一つのＯＦＤＭＡシンボルからなる。分散サブキャリアパーミュテーションを使用するＤＬ  ＰＵＳＣに対して、一つのスロットは一つのサブチャンネル及び二つのＯＦＤＭＡシンボルで構成される。分散サブキャリアパーミュテーションを使用するＵＬ  ＰＵＳＣ及びＤＬ  ＴＵＳＣ１（サブチャンネル１のタイル使用）及びＴＵＳＣ２（サブチャンネル２のタイル使用）の両方に対して、一つのスロットは一つのサブチャンネル及び３個のＯＦＤＭＡシンボルで構成される。隣接サブキャリアパーミュテーション（ＡＭＣ）に対して、一つのスロットは一つのサブチャンネル及び２個、３個又は６個のＯＦＤＭＡシンボルからなる。
【０００５】
ＯＦＤＭＡで、データ領域は、２次元に割り当てられた一つのグループの連続的なサブチャンネル及び一つのグループの連続的なＯＦＤＭＡシンボルである。全ての割り当ては、各論理サブチャンネルを称する。２次元割り当ては、図１に示すように矩形に図示される。
【０００６】
関連技術では、ＰＵＳＣ、ＦＵＳＣ、ＡＭＣなどの各パーミュテーション方法別に、それぞれ異なる基本データ割り当て構造を有しており、パイロット構造はそれぞれ異なるように設計されて使用された。これは、従来の１６ｅシステムで、パーミュテーション方法が時間上で分離されたことから、各パーミュテーション別に異なるように最適化された構造が設計されたためである。図２は、データ割り当て構造に対する例示的な関連技術を示す図である。各パーミュテーション規則は、関連技術では時間軸上で分離されている。一つ以上のパーミュテーション方法が時間上で共存する場合、一つの単一化された基本データ割り当て構造及びパイロット伝送構造が必要である。
【０００７】
１６ｅシステムと１６ｍシステムを多重化するとき、１６ｍシステムのＰＲＵが１６ｅシステムと互換性を有するように１６ｍシステムのＰＲＵの時間―周波数粒度を設計することが望ましい。また、互いに多重化される１６ｅシステムと１６ｍシステムのそれぞれの性能劣化を可能な限り低減させるための多重化構造を設計することが望ましい。
【発明の概要】
【発明が解決しようとする課題】
【０００８】
本発明の目的は、レガシーシステムと新しいシステムの最適な性能を提供する１６ｍ及び１６ｅ多重化構造を提供し、単一化された基本データ割り当て構造及び／又はパイロット送信構造を提供することにある。
【課題を解決するための手段】
【０００９】
このような問題を解決するために、新しくかつ有用な１６ｍと１６ｅの多重化構造が本発明の多様な形態によって提供される。また、単一化された基本データ割り当て構造及び／又はパイロット送信構造が、周波数軸上で分離されている互いに異なる各パーミュテーション規則を採択する通信システムのために提供される。
【００１０】
本発明の一様相で、移動通信機器と基地局との間でデータを通信するデータ通信方法が提供される。この方法は、１番目の通信モードのタイルを２番目の通信モードのタイルと周波数多重化し、周波数多重化されたサブフレーム又はサブフレームグループを生成することを含む。前記１番目の通信モードのタイルは、Ｘ１個の連続的なサブキャリア及びＹ１個の連続的なＯＦＤＭＡシンボルを含み、前記２番目の通信モードのタイルは、Ｘ２個の連続的なサブキャリア及びＹ２個の連続的なＯＦＤＭＡシンボルを含み、Ｘ１＝Ｘ２で、Ｙ２はＹ１の倍数である。
【００１１】
本発明の他の様相で、前記倍数は整数倍である（例えば、倍数は２で、Ｘ１＝Ｘ２＝４で、Ｙ１＝３で、Ｙ２＝６である）。
【００１２】
本発明の他の様相で、前記１番目の通信モードは、ＰＵＳＣ（Ｐａｒｔｉａｌ  Ｕｓａｇｅ  ｏｆ  Ｓｕｂ―Ｃｈａｎｎｅｌｓ）サブチャンネル化を含む。
【００１３】
本発明の他の様相で、前記２番目の通信モードはタイルパーミュテーションを含む。
【００１４】
本発明の他の様相で、上述した方法は、前記周波数多重化されたサブフレーム又はサブフレームグループを３番目の通信モードの２番目のサブフレーム又はサブフレームグループと時分割多重化することをさらに含み、前記３番目の通信モードは、隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含む。また、前記３番目の通信モードは、分散サブキャリアパーミュテーションを含む。
【００１５】
本発明の一様相で、上述した方法は、３番目の通信モードの物理資源ユニット（Ｐｈｙｓｉｃａｌ  Ｒｅｓｏｕｒｃｅ  Ｕｎｉｔ、ＰＲＵ）を４番目の通信モードのＰＲＵと周波数多重化し、２番目の周波数多重化サブフレーム又はサブフレームグループを生成し、前記周波数多重化されたサブフレーム又はサブフレームグループと前記２番目の周波数多重化されたサブフレーム又はサブフレームグループを時分割多重化することを含む。前記３番目の通信モードのＰＲＵは、Ｘ３個の連続的なサブキャリア及びＹ３個の連続的なＯＦＤＭＡシンボルを含み、前記４番目の通信モードのＰＲＵは、Ｘ４個の連続的なサブキャリア及びＹ４個の連続的なＯＦＤＭＡシンボルを含み、Ｘ３＝Ｘ４で、Ｙ４はＹ３の倍数である。
【００１６】
本発明の一様相で、前記３番目の通信モードは、隣接サブキャリアパーミュテーション（ａｄｊａｃｅｎｔ  ｓｕｂ―ｃａｒｒｉｅｒ  ｐｅｒｍｕｔａｔｉｏｎ、ＡＭＣ）を含み、前記４番目の通信モードは、隣接サブキャリアパーミュテーション及び分散サブキャリアパーミュテーションを含む。
【００１７】
本発明の他の様相で、移動通信機器と基地局との間でデータを通信するデータ通信方法が提供される。この方法は、周波数多重化されたサブフレーム又はサブフレームグループを周波数逆多重化し、１番目の通信モードのタイル及び２番目の通信モードのタイルを形成することを含む。前記１番目の通信モードのタイルは、Ｘ１個の連続的なサブキャリア及びＹ１個の連続的なＯＦＤＭＡシンボルを含み、前記２番目の通信モードのタイルは、Ｘ２個の連続的なサブキャリア及びＹ２個の連続的なＯＦＤＭＡシンボルを含み、Ｘ１＝Ｘ２で、Ｙ２はＹ１の倍数である。
【００１８】
本発明の他の様相で、基地局と無線で通信するようになっている移動通信機器が提供される。この移動通信機器は、無線周波数（Ｒａｄｉｏ  Ｆｒｅｑｕｅｎｃｙ、ＲＦ）ユニットと、前記ＲＦユニットに作動可能に連結されており、１番目の通信モードのタイルを２番目の通信モードのタイルと周波数多重化し、周波数多重化されたサブフレーム又はサブフレームグループを生成するようになっているプロセッサと、を含む。前記１番目の通信モードのタイルは、Ｘ１個の連続的なサブキャリア及びＹ１個の連続的なＯＦＤＭＡシンボルを含み、前記２番目の通信モードのタイルは、Ｘ２個の連続的なサブキャリア及びＹ２個の連続的なＯＦＤＭＡシンボルを含み、Ｘ１＝Ｘ２で、Ｙ２はＹ１の倍数である。
【００１９】
本発明の他の様相で、移動通信機器と無線で通信するようになっている基地局が提供される。この基地局は、無線周波数（Ｒａｄｉｏ  Ｆｒｅｑｕｅｎｃｙ、ＲＦ）ユニットと、前記無線周波数ユニットに作動可能に連結されており、周波数多重化されたサブフレーム又はサブフレームグループを周波数逆多重化し、１番目の通信モードのタイル及び２番目の通信モードのタイルを形成するようになっているプロセッサと、を含む。前記１番目の通信モードのタイルは、Ｘ１個の連続的なサブキャリア及びＹ１個の連続的なＯＦＤＭＡシンボルを含み、前記２番目の通信モードのタイルは、Ｘ２個の連続的なサブキャリア及びＹ２個の連続的なＯＦＤＭＡシンボルを含み、Ｘ１＝Ｘ２で、Ｙ２はＹ１の倍数である。
【００２０】
前記周波数多重化されたサブフレームグループ、３番目の通信モードの２番目のサブフレームグループ、及び２番目の周波数多重化サブフレームグループは、それぞれ一つのサブフレーム又は多数のサブフレームで構成される。
【発明の効果】
【００２１】
本発明のデータ割り当て構造及び／又は多重化方式によれば、レガシーシステムと新しいシステムとの間の否定的な相互作用が最小化される。
【図面の簡単な説明】
【００２２】
【図１】各パケットサイズとユーザの利用可能な帯域幅との組み合わせによるダイバーシティ利得の側面での性能を比較するためのダイアグラムである。
【図２】データ割り当て構造に関する関連技術の例を示す図である。
【図３】本発明の一実施例に係る例示的な論理的多重化構造を示す図である。
【図４】本発明の一実施例に係る例示的な論理的多重化構造を示す図である。
【図５】本発明の一実施例に係る例示的な論理的多重化構造を示す図である。
【図６】レガシーシステムがＵＬサブフレームに対してＰＵＳＣモードのみで動作するときの本発明の他の実施例に係る例示的な論理多重化構造を示す図である。
【図７】レガシーシステムがＵＬサブフレームに対してＰＵＳＣモード及びＡＭＣモードの両方で動作するときの本発明の他の実施例に係る例示的な論理多重化構造を示す図である。
【図８】レガシーシステムがＵＬサブフレームに対してＰＵＳＣモードのみで動作するときの本発明の他の実施例に係る例示的な論理多重化構造を示す図である。
【図９】レガシーシステムがＵＬサブフレームに対してＰＵＳＣモード及びＡＭＣモードの両方で動作するときの本発明の他の実施例に係る例示的な論理多重化構造を示す図である。
【図１０】レガシーシステムがＵＬサブフレームに対してＰＵＳＣモードのみで動作するときの本発明の他の実施例に係る例示的な論理多重化構造を示す図である。
【図１１】レガシーシステムがＵＬサブフレームに対してＰＵＳＣモード及びＡＭＣモードの両方で動作するときの本発明の他の実施例に係る例示的な論理多重化構造を示す図である。
【図１２】それぞれ図１０及び図１１の論理多重化構造に対する例示的な物理多重化構造を示す図である。
【図１３Ａ】それぞれ図１０及び図１１の論理多重化構造に対する例示的な物理多重化構造を示す図である。
【図１３Ｂ】図１３Ａに示した各フレームを多重化・逆多重化する方法を示す図である。
【図１３Ｃ】図１３Ａに示した各フレームを多重化・逆多重化する方法を示す図である。
【図１４】レガシーシステムがＵＬサブフレームに対してＰＵＳＣモード及びＡＭＣモードの両方で動作するときの本発明の他の実施例に係る例示的な論理多重化構造を示す図である。
【図１５】レガシーシステムがＵＬサブフレームに対してＰＵＳＣモード及びＡＭＣモードの両方で動作するときの本発明の他の実施例に係る例示的な論理多重化構造を示す図である。
【図１６】レガシーシステムがＵＬサブフレームに対してＰＵＳＣモード及びＡＭＣモードの両方で動作するときの本発明の他の実施例に係る例示的な論理多重化構造を示す図である。
【図１７】レガシーシステムがＵＬサブフレームに対してＰＵＳＣモード及びＡＭＣモードの両方で動作するときの本発明の他の実施例に係る例示的な論理多重化構造を示す図である。
【図１８】単一化された基本データ割り当て構造及び／又はパイロット送信構造に関する例示的なデータ割り当て構造を示す図である。
【図１９】資源割り当てのための例示的なＰＲＵの設計を示す図である。
【図２０】本発明の一実施例に係るＰＲＵを示す図である。
【図２１】本発明の他の実施例に係るＰＲＵを示す図である。
【図２２】本発明の他の実施例に係るＰＲＵを示す図である。
【図２３】本発明の一実施例に係る無線通信システムの構造を示す図である。
【図２４】本発明の一実施例に係るユーザ機器の構成要素を示すブロック図である。
【発明を実施するための形態】
【００２３】
添付の図面は、本発明の理解を促進するためのもので、本発明の詳細な説明と共に本発明の原理を説明し、本発明の各実施例を説明する。
【００２４】
添付の図面は、本発明の理解を促進するために提供されたものである。添付の図面は、本発明の各実施例を描写し、発明の詳細な説明と共に本発明の原理を説明するためのものである。
【００２５】
本発明の例示的な各実施例に対する参照が詳細に提供されており、本発明の各例が添付の図面上に描写される。添付の図面を参照した下記の詳細な説明は、本発明の例示的な各実施例を説明するために意図されたもので、本発明によって具現可能な唯一の実施例を示すものではない。下記の詳細な説明は、本発明の完全な理解を提供するために特定の具体的な内容を含む。しかし、本発明の属する技術分野の熟練された者であれば、本発明がそのような特定の具体的な内容なしにも実施可能であることを理解するであろう。例えば、下記の説明は、特定の用語を使用して記述されるが、そうであるとしても、本発明がこのような用語又は同一の意味を示す他の用語によって限定されることはない。
【００２６】
この文書で、「レガシーＭＳ（Ｌｅｇａｃｙ  ＭＳ）」は、ＷｉｒｅｌｅｓｓＭＡＮ―ＯＦＤＭＡ基準システムと互換性を有する移動局（ｍｏｂｉｌｅ  ｓｔａｔｉｏｎ、ＭＳ）を意味する。「レガシーＢＳ」は、ＷｉｒｅｌｅｓｓＭＡＮ―ＯＦＤＭＡ基準システムと互換性を有する基地局（ｂａｓｅ  ｓｔａｔｉｏｎ、ＢＳ）を意味する。「ＩＥＥＥ  ８０２．１６ｍ  ＭＳ」は、ＩＥＥＥ  ８０２．１６―２００４、ＩＥＥＥ  ８０２．１６ｅ―２００５及びＩＥＥＥ  ８０２．１６ｍによって修正された改良無線インターフェース（Ａｄｖａｎｃｅｄ  Ａｉｒ  Ｉｎｔｅｒｆａｃｅ）と互換性を有するＭＳを意味する。そして、「ＩＥＥＥ  ８０２．１６ｍ  ＢＳ」は、ＩＥＥＥ  ８０２．１６―２００４、ＩＥＥＥ  ８０２．１６ｅ―２００５及びＩＥＥＥ  ８０２．１６ｍによって修正された改良無線インターフェースと互換性を有するＢＳを意味する。
【００２７】
ＩＥＥＥ  ８０２．１６ｍは、ＭＳ及びＢＳを含み、レガシーＷｉｒｅｌｅｓｓＭＡＮ―ＯＦＤＭＡ装置に対するサポート及び相互互換性を継続して提供することができる。特に、ＩＥＥＥ  ８０２．１６ｍで可能な特徴、機能及びプロトコルは、ＷｉｒｅｌｅｓｓＭＡＮ―ＯＦＤＭＡレガシー装置によって採択される特徴、機能及びプロトコルをサポートすることができる。ＩＥＥＥ  ８０２．１６ｍはレガシーサポートを不能にすることもできる。
【００２８】
後方互換性は、次のような各要件を満足させることができる。
【００２９】
―  ＩＥＥＥ  ８０２．１６ｍ  ＭＳは、レガシーＭＳがレガシーＢＳとの関係で示す性能と同一のレベルを有し、レガシーＢＳと共に動作しなければならない。
【００３０】
―  ＩＥＥＥ  ８０２．１６ｍ及びＷｉｒｅｌｅｓｓＭＡＮ―ＯＦＤＭＡ基準システムに基づいた各システムは、同一のチャンネル帯域幅を有して同一の無線周波数（ＲＦ）キャリア上で動作しなければならなく、かつ、互いに異なるチャンネル帯域幅を有して同一のＲＦキャリア上で動作しなければならない。
【００３１】
―  ＩＥＥＥ  ８０２．１６ｍ  ＢＳは、ＩＥＥＥ  ８０２．１６ｍとレガシーＭＳが同一のＲＦキャリア上で動作するとき、ＩＥＥＥ  ８０２．１６ｍとレガシーＭＳが共存する状態をサポートしなければならない。このような共存状態に対するシステム性能は、ＩＥＥＥ  ８０２．１６ｍ  ＢＳに付着されたＩＥＥＥ  ８０２．１６ｍ  ＭＳの一部に対して向上されなければならない。
【００３２】
―  ＩＥＥＥ  ８０２．１６ｍ  ＢＳは、二つのレガシーＢＳ間のハンドオーバーと同一の性能の水準で、ＩＥＥＥ  ８０２．１６ｍ  ＢＳから又はＩＥＥＥ  ８０２．１６ｍ  ＢＳまで、そして、レガシーＢＳから又はレガシーＢＳまでレガシーＭＳのハンドオーバーをサポートしなければならない。
【００３３】
―  ＩＥＥＥ  ８０２．１６ｍ  ＢＳは、レガシーＢＳがレガシーＭＳに提供するのと同一の水準の性能を有し、レガシーＭＳをサポートしなければならなく、かつ、同一のＲＦキャリア上でＩＥＥＥ  ８０２．１６ｍ  ＭＳをサポートしなければならない。後方互換性をサポートするために、同一のサブフレーム又はフレーム内での１６ｅと１６ｍの多重化が要求される。このような多重化は、ＴＤＭ及び／又はＦＤＭの二つの多重化方式によって行われる。ＴＤＭは、１６ｍシステムの最適化のための完全な適応性がサポートされるという点で有益である。しかし、ＴＤＭは、レガシーシステムに対してリンクバジェット損失をもたらすという短所がある。一方、ＦＤＭは、レガシーシステム上でリンクバジェットに何らの影響も与えないという点で有利である。しかし、ＦＤＭは、同一のサブフレームで１６ｅ  ＰＵＳＣ（ｐａｒｔｉａｌ  ｕｓａｇｅ  ｏｆ  ｓｕｂｃｈａｎｎｅｌｓ）のための資源が共存するので、１６ｍサブチャンネル化が制限されるという短所を有する。特に、ＴＤＭ方式は、ＡＭＣモードが１６ｅレガシーシステムで使用されるときに具現されにくいという問題を有する。一方、ＦＤＭ方式は、１６ｅレガシーシステムでＰＵＳＣモードが使用されるときに具現しにくいという問題を有する。
【００３４】
図３は、本発明の一実施例に係る例示的な論理多重化構造を示す図である。
【００３５】
図３を参照すれば、ゾーン３０１、３０２、３０３は、それぞれ一つのサブフレームからなる。ゾーン３０３は、「全てのタイプの１６ｍ割り当て」のみのために保存される。ここで、「全てのタイプの１６ｍ割り当て」は、１６ｍローカル資源ユニットの割り当て及び１６ｍ分散資源ユニットの割り当てを含む。「全てのタイプの１６ｍ割り当て」は、１６ｍローカル型資源ユニットの割り当て及び１６ｍ分散型資源ユニットの割り当てを含む。「１６ｅ  ＰＵＳＣ」のための資源は、ＴＤＭ方式で「全てのタイプの１６ｍ割り当て」のための資源と多重化されたり、又は「１６ｅ  ＡＭＣ」のための資源と区分される。そして、「１６ｅ  ＡＭＣ」のための資源は、ＴＤＭ方式及び／又はＦＤＭ方式で「全てのタイプの１６ｍ割り当て」のための資源と多重化される。また、「１６ｅ  ＡＭＣ」のための資源及び「全てのタイプの１６ｍ割り当て」のための資源は、ゾーン３０２でＦＤＭ方式で多重化される。しかし、図３の多重化構造によれば、レガシーカバレッジ損失があり得るが、これは、１６ｅシステムのためのゾーン３０１のタイムスパンがＴＤＭ方式によって制限されるためである。
【００３６】
図４は、本発明の更に他の実施例に係る例示的な論理多重化構造を示す図である。
【００３７】
図４を参照すれば、「１６ｅ  ＰＵＳＣ」及び「１６ｅタイル／パーミュテーション規則を有する１６ｍ分散資源ユニット（ＤＲＵ）」のためのゾーン４０１は、２個のサブフレームで構成される。ゾーン４０２は、「全てのタイプの１６ｍ割り当て」のみのために保存され、一つのサブフレームで構成される。「１６ｅ  ＰＵＳＣ」のための資源及び「１６ｅタイル／パーミュテーション規則を有する１６ｍ分散資源ユニット（ＤＲＵ）」のための資源はＦＤＭ方式でゾーン４０１で多重化される
【００３８】
図５は、本発明の更に他の実施例に係る例示的な論理多重化構造を示す図である。
【００３９】
図５を参照すれば、ゾーン５０２は、「全てのタイプの１６ｍ割り当て」及び「１６ｅ  ＡＭＣ」のために保存される場合、１個のサブフレームで構成される。ゾーン５０１は、「１６ｅ  ＰＵＳＣ」及び「１６ｅタイル／パーミュテーション規則を有する１６ｍ分散資源ユニット（ＤＲＵ）」のために保存され、２個のサブフレームで構成される。
【００４０】
図４を参照すれば、ゾーン４０２には「１６ｍ」のみが存在することが分かる。図４又は図５の多重化構造によれば、レガシーカバレッジが拡張されるが、これは、「１６ｅ  ＰＵＳＣ」ゾーン４０１又はゾーン５０１のタイムスパンが図３の多重化構造によるタイムスパンより長いためである。しかし、図４及び図５によれば、１６ｍシステムの複雑度は、二つの分散パーミュテーション規則のために増加することがある。このような各構造で、アップリンクが３個のサブフレームを有する場合、「１６ｅ  ＰＵＳＣ」ゾーン４０１又はゾーン５０１の大きさは、レガシーカバレッジをサポートするために２個のサブフレームで構成される。そして、アップリンクが４個のサブフレームを有する場合、「１６ｅ  ＰＵＳＣ」ゾーン４０１又はゾーン５０１の大きさは、レガシーカバレッジをサポートするために３個のサブフレームで構成される。
【００４１】
図６は、レガシーシステムがＵＬサブフレームに対してＰＵＳＣモードのみで動作するときの本発明の他の実施例に係る例示的な論理多重化構造を示す図である。この多重化構造で、「１６ｅ  ＰＵＳＣ」のための資源及び「全てのタイプの１６ｍ割り当て」のための資源は、ＴＤＭ方式で多重化され、レガシーをサポートする。図６の多重化構造によれば、１６ｍ資源割り当てに対するレガシー１６ｅシステムの否定的な効果が最小化されるが、これは、１６ｍ資源割り当てユニットの周波数粒度が１６ｅレガシーシステムによって影響を受けないためである。また、この場合、アップリンク（ＵＬ）物理資源ユニット（Ｐｈｙｓｉｃａｌ  Ｒｅｓｏｕｒｃｅ  Ｕｎｉｔ、ＰＲＵ）が１８個のサブキャリア及び６個のＯＦＤＭＡシンボルで構成される場合、ＵＬ  ＰＲＵが多重化された構造に簡単に適用されるが、これは、ＵＬ  ＰＲＵがＤＬ  ＰＲＵと同質性を有するためである。
【００４２】
図７は、レガシーシステムがＵＬサブフレームに対してＰＵＳＣモード及びＡＭＣモードの全てのモードで動作するときの本発明の他の実施例に係る例示的な論理多重化構造を示す図である。この多重化構造で、「１６ｅ  ＰＵＳＣ」のための資源及び「全てのタイプの１６ｍ割り当て」のための資源はＴＤＭ方式で多重化され、「１６ｅ  ＰＵＳＣ」のための資源及び「１６ｅ  ＡＭＣ」のための資源はＴＤＭ方式で分離される。一方、「１６ｅ  ＡＭＣ」のための資源及び「全てのタイプの１６ｍ割り当て」のための資源は、同一のゾーン７０１でＦＤＭ方式で多重化される。
【００４３】
図８は、レガシーシステムがＵＬサブフレームに対してＰＵＳＣモードのみで動作するときの本発明の他の実施例に係る例示的な論理多重化構造を示す図である。この多重化構造で、「１６ｅ  ＰＵＳＣ」のための資源及び「全てのタイプの１６ｍ割り当て」のための資源は、常にＴＤＭ方式で多重化される。そして、１８個のサブキャリア及び６個のＯＦＤＭＡシンボルからなるＰＲＵは、他の変形を加えずに１６ｍ資源割り当てのために使用される。図８を参照すれば、多重化構造は、３個のアップリンクサブフレーム８０１、８０２、８０３で構成され、「１６ｅ  ＰＵＳＣ」は一つのサブフレーム８０１に割り当てられる。ここで、本発明が各ゾーン８０１、８０２、８０３の特定時間長さによって制限されないことに注目しなければならない。
【００４４】
図９は、レガシーシステムがＵＬサブフレームに対してＰＵＳＣモード及びＡＭＣモードの両方で動作するときの本発明の他の実施例に係る例示的な論理多重化構造を示す図である。この多重化構造で、「１６ｅ  ＰＵＳＣ」のための資源及び「全てのタイプの１６ｍ割り当て」のための資源は常にＴＤＭ方式で多重化され、「１６ｅ  ＡＭＣ」のための資源及び「全てのタイプの１６ｍ割り当て」のための資源は常にＦＤＭ方式で多重化され、１８個のサブキャリア及び６個のＯＦＤＭＡシンボルからなるＰＲＵは、他の変形を加えずに１６ｍ資源割り当てのために使用される。図９を参照すれば、多重化構造は、３個のアップリンクサブフレーム９０１、９０２、９０３で構成され、「１６ｅ  ＰＵＳＣ」は一つのサブフレーム９０１に割り当てられる。しかし、本発明が図９の例示的な構造によって制限されないことは明白である。
【００４５】
図１０は、レガシーシステムがＵＬサブフレームに対してＰＵＳＣモードのみで動作するときの本発明の他の実施例に係る例示的な論理多重化構造を示す図である。この多重化構造で、「１６ｅ  ＰＵＳＣ」のための資源及び「１６ｍ」のための資源は、ＴＤＭ及びＦＤＭ方式の両方で多重化される。「１６ｍ」が１６ｅのタイル／パーミュテーション規則と同一の規則をサポートしたり、又は「１６ｅ  ＰＵＳＣ」の粒度と互換性を有する粒度をサポートする場合、ゾーン１００１で「１６ｍ」が「１６ｅ  ＰＵＳＣ」とＦＤＭ方式で多重化される。しかし、「全てのタイプの１６ｍ割り当て」のための資源は、ゾーン１００２でＴＤＭ方式で「１６ｅ  ＰＵＳＣ」のための資源と多重化される。
【００４６】
図１１は、レガシーシステムがＵＬサブフレームに対してＰＵＳＣモード及びＡＭＣモードの両方で動作するときの本発明の他の実施例に係る例示的な論理多重化構造を示す図である。この多重化構造で、「１６ｅ  ＰＵＳＣ」のための資源及び「１６ｍ」のための資源はＴＤＭ及びＦＤＭ方式の両方で多重化され、「全てのタイプの１６ｍ割り当て」のための資源及び「１６ｅ  ＡＭＣ」のための資源はＦＤＭ方式で多重化される。ゾーン１１０１の一部が「１６ｅ  ＰＵＳＣ」割り当て後に空いているとき、「１６ｍ」が１６ｅのタイル／パーミュテーション規則と同一の規則をサポートしたり、又は「１６ｅ  ＰＵＳＣ」の粒度と互換性を有する粒度をサポートする場合、ゾーン１１０１で「１６ｍ」のための資源は「１６ｅ  ＰＵＳＣ」のための資源とＦＤＭ方式で多重化される。しかし、「全てのタイプの１６ｍ割り当て」のための資源は、ゾーン１１０２でＦＤＭ方式で「１６ｅ  ＡＭＣ」のための資源と多重化される。一方、ゾーン１１０２で、「１６ｍ」のための資源は「１６ｅ  ＰＵＳＣ」のための資源とＴＤＭ方式で多重化される。図１１の多重化構造は、「１６ｅ  ＡＭＣ」、「１６ｅ  ＰＵＳＣ」、「１６ｍ分散資源ユニットモード」、「１６ｍローカルモード」などの多数の割り当てモードが一つの時間領域で割り当てられなければならないときに有用に適用される。
【００４７】
図１２及び図１３Ａは、それぞれ図１０及び図１１の論理多重化構造に対する例示的な物理多重化構造を示す図である。
【００４８】
図１２及び図１３Ａに示した物理領域で、図１１及び図１２の１６ｅ領域及び１６ｍ領域（ダイバーシティ）は、予め決定された規則（例えば、１６ｅ  ＰＵＳＣパーミュテーション規則）によってインターレースされる。１６ｅ領域ＰＵＳＣモードの周波数粒度は、４ｘ３タイルの使用に基づくことができる。一例として、１６ｅモードのための４ｘ６複合タイルを生成するために二つの４ｘ３タイルを追加することによって、そして、４ｘ６大きさのタイルを有するために１６ｍモードを制限することによって、共通タイル構造（すなわち、４ｘ６）が１６ｅ及び１６ｍ領域の両方で使用される。このように共通した各タイル構造は、周波数領域で任意の予め決定された順にインターレースされる（例えば、１６ｅを一つ以上の１６ｍが追従し、引き続いて一つ以上の１６ｅが追従する）。このように特別に大きさが決定された各タイルのインターレーシングによって効率的に周波数を使用することができる。このように特別に大きさの決定された各タイルは、「全てのタイプの１６ｍ割り当て」及び／又は「１６ｅ  ＡＭＣ」のための各タイルなどのような異なる大きさを有する各タイル（すなわち、４ｘ６の整数倍の各タイル）と時分割多重化される。
【００４９】
図１３Ｂ及び図１３Ｃは、図１３Ａに示した各フレームを多重化・逆多重化する方法を示す図である。一旦データを送信する準備が完了すれば、装置周波数は、１番目の通信モードのタイルを２番目の通信モードのタイルと多重化し、周波数多重化されたサブフレーム（又はサブフレームグループ）（Ｓ１）を生成し、図１１のサブフレーム（又はサブフレームグループ）１１０１を生成する。１番目の通信モードのタイルは、Ｘ１個の連続的なサブキャリア及びＹ１個の連続的なＯＦＤＭＡシンボルを含むことができる。２番目の通信モードのタイルは、Ｘ２個の連続的なサブキャリア及びＹ２個の連続的なＯＦＤＭＡシンボルを含むことができる。倍数は、整数の倍数である（例えば、Ｘ１＝Ｘ２＝４、Ｙ１＝３、そして、Ｙ２＝６）。１番目の通信モードは、ＰＵＳＣ（Ｐａｒｔｉａｌ  Ｕｓａｇｅ  ｏｆ  Ｓｕｂ―Ｃｈａｎｎｅｌｓ）サブチャンネル化を含むことができる。２番目の通信モードはタイルパーミュテーションを含むことができる。
【００５０】
選択的に、この装置は、前記周波数多重化されたサブフレーム（又はサブフレームグループ）を３番目の通信モードの２番目のサブフレーム（又はサブフレームグループ）（例えば、図１１のサブフレーム１１０２のうち一つ）と時分割多重化する（Ｓ２）。３番目の通信モードは、隣接サブキャリアパーミュテーション（ＡＭＣ）又は分散サブキャリアパーミュテーションを含むことができる。
【００５１】
他の選択として、この装置は、３番目の通信モードのＰＲＵを４番目の通信モードのＰＲＵと周波数多重化し、２番目の周波数多重化されたサブフレーム（又はサブフレームグループ）（例えば、図１１のサブフレーム１１０２のうち一つ）を生成する（Ｓ３）。選択的に、この装置は、その次に、周波数多重化されたサブフレーム（又はサブフレームグループ）を２番目の周波数多重化されたサブフレーム（又はサブフレームグループ）と時分割多重化する（Ｓ４）。３番目の通信モードのＰＲＵは、Ｘ３個の連続的なサブキャリア及びＹ３個の連続的なＯＦＤＭＡシンボルを含むことができる。４番目の通信モードのＰＲＵは、Ｘ４個の連続的なサブキャリア及びＹ４個の連続的なＯＦＤＭＡシンボルを含むことができる。一つ選択事項において、Ｘ３＝Ｘ４で、Ｙ４はＹ３の倍数である（例えば、Ｘ３＝１８、Ｙ３＝３、そして、Ｙ４＝６）。３番目の通信モードはＡＭＣを含むことができ、４番目の通信モードは分散サブキャリアパーミュテーションを含むことができる。
【００５２】
図１３Ｃの方法は、図１３Ｂの反対構造である。図１３Ｃは、図１１及び図１３Ａに示した各構造を生成するための事後受信方法（ｐｏｓｔ  ｒｅｃｅｐｔｉｏｎ  ｍｅｔｈｏｄ）である。一旦データが受信されれば（Ｓ５）、装置は、周波数多重化されたサブフレーム（又はサブフレームグループ）を周波数逆多重化し、１番目の通信モードのタイル及び２番目の通信モードのタイルを形成する（Ｓ６）。選択的に、この装置は、受信されたデータを時分割逆多重化し、１番目の通信モードのタイル及び２番目の通信モードのタイルを形成する（Ｓ６）。選択的に、この装置は、受信されたデータを時分割逆多重化し、周波数多重化されたサブフレーム（又はサブフレームグループ）及び３番目の通信モードの２番目のサブフレーム（又はサブフレームグループ）を得る（Ｓ７）。代案的に、この装置は、データを時分割逆多重化し、周波数多重化されたサブフレーム（又はサブフレームグループ）及び２番目の周波数多重化されたサブフレーム（又はサブフレームグループ）を得る（Ｓ８）。このような代案で、この装置は、２番目の周波数多重化されたサブフレーム（又はサブフレームグループ）を逆多重化し、３番目の通信モードのＰＲＵ及び４番目の通信モードのＰＲＵを形成するとともに（Ｓ９）、周波数多重化されたサブフレーム（又はサブフレームグループ）を周波数逆多重化し、１番目の通信モードのタイル及び２番目の通信モードのタイルを形成することができる（Ｓ６）。
【００５３】
図１４は、レガシーシステムがＵＬサブフレームに対してＰＵＳＣモード及びＡＭＣモードの両方で動作するときの本発明の他の実施例に係る例示的な論理多重化構造を示す図である。この多重化構造で、従来の方法のように、「１６ｅ  ＰＵＳＣ」のための資源は「１６ｅ  ＡＭＣ」のための資源とＴＤＭ方式で分離され、「１６ｍ」のための資源は、「１６ｅ  ＰＵＳＣ」のための資源及び「１６ｅ  ＡＭＣ」のための資源とＴＤＭ方式で多重化される。図１４の多重化構造によれば、１６ｍ資源割り当てに対するレガシー１６ｅシステムの否定的な影響が最小化されるが、これは、１６ｍ資源割り当ての周波数粒度が１６ｅレガシーシステムによって影響を受けないためである。また、このとき、アップリンクＰＲＵが１８個のサブキャリア及び６個のＯＦＤＭＡシンボルからなる場合、アップリンクＰＲＵが多重化された構造に易しく適用されるが、これは、ダウンリンクＰＲＵを共通的に有するためである。
【００５４】
図１５は、レガシーシステムがＵＬサブフレームに対してＰＵＳＣモード及びＡＭＣモードの両方で動作するときの本発明の他の実施例に係る例示的な論理多重化構造を示す図である。図１５を参照すれば、ゾーン１５０３は、「全てのタイプの１６ｍ割り当て」のみのために保存され、一つ以上のサブフレームで構成されることが分かる。ゾーン１５０３で、「１６ｍ」のための資源は、「１６ｅ  ＰＵＳＣ」のための資源及び「１６ｅ  ＡＭＣ」のための資源の両方とＴＤＭ方式で多重化される。この多重化構造で、「１６ｅ  ＰＵＳＣ」のための資源は「全てのタイプの１６ｍ割り当て」のための資源とＴＤＭ方式で多重化され、「１６ｅ  ＡＭＣ」のための資源は、「全てのタイプの１６ｍ割り当て」のための資源とＴＤＭ方式及び／又はＦＤＭ方式で多重化される。
【００５５】
図１５の多重化構造によれば、１６ｍ資源割り当てに対するレガシー１６ｅシステムの影響が最小化されるが、これは、１６ｍ資源割り当ての周波数粒度が１６ｅレガシーシステムによって影響を受けないためである。また、ゾーン１５０２で使用されるＰＲＵの大きさが１８個のサブキャリア及び６個のＯＦＤＭＡシンボルであれば、１６ｍ資源割り当てに対するレガシー１６ｅシステムの影響が最小化されるが、これは、「全てのタイプの１６ｍ割り当て」の周波数粒度が「１６ｅ  ＡＭＣ」の周波数粒度と同一であるためである。
【００５６】
一つ以上のアップリンクサブフレームが「１６ｅ  ＰＵＳＣ」及び「１６ｅ  ＡＭＣ」のために割り当てられない場合、「全てのタイプの１６ｍ割り当て」のための資源は「１６ｅ  ＡＭＣ」のための資源とＴＤＭ方式で多重化される。
【００５７】
この場合、ゾーン１５０２の「全てのタイプの１６ｍ割り当て」が十分な帯域―スケジューリング利得又は周波数ダイバーシティ利得を有さないことがあるが、これは、ゾーン１５０２内の「１６ｍローカル資源ユニット」及び「１６ｍ分散資源ユニット」が「１６ｅ  ＡＭＣ」とＦＤＭ方式で多重化されるためである。したがって、ゾーン１５０３で、「全てのタイプの１６ｍ割り当て」のための資源が「１６ｅ  ＡＭＣ」のための資源とＴＤＭ方式で多重化されることが有利である。しかし、「１６ｍ」のための資源を「１６ｅ  ＡＭＣ」のための資源とＴＤＭ方式で多重化することによって、アップリンクカバレッジに問題を生じるが、これは、ゾーン１５０３の「１６ｍ」に対するタイムスパンが十分でないためである。この問題を解決するために、ゾーン１５０２のサブフレームは、１６ｍ割り当てのための隣接したゾーン１５０３の各サブフレームに拡張又は連接される。図１５を参照すれば、「１６ｅ  ＡＭＣ」のための資源とＦＤＭ方式で多重化された１６ｍ資源は、隣接する次の各サブフレームに拡張されたり（Ａ）、又は隣接する次の各サブフレームに拡張されない（Ｂ）。また、「１６ｅ  ＡＭＣ」のための資源とＴＤＭ方式で多重化される１６ｍ資源は、以前の各サブフレームに拡張されたり、又は以前の各サブフレームに拡張されない（Ｃ）。１６ｍ資源を隣接した各サブフレームに拡張するのは、セル端ユーザにとって有利であるが、これは、より多くのアップリンクカバレッジを提供するためである。
【００５８】
図１５の多重化構造によれば、「全てのタイプの１６ｍ割り当て」のための資源は、「１６ｅ  ＡＭＣ」のための資源とＦＤＭ及びＴＤＭ方式の両方で多重化される。換言すれば、ハイブリッドＦＤＭ／ＴＤＭが「１６ｅ  ＡＭＣ」のための資源と「１６ｍ」のための資源との間でサポートされる。その結果、基地局は、アップリンクカバレッジと帯域―スケジューリング／ダイバーシティ利得との間のトレード―オフ（ｔｒａｄｅ―ｏｆｆ）に対する柔軟性を有することができる。すなわち、基地局は柔軟性を有することができるが、これは、レガシーシステムがＰＵＳＣ及びＡＭＣの両方のために動作するとき、「全てのタイプの１６ｍ割り当て」のみのために保存されるゾーン１５０３が提供されるためである。
【００５９】
図１６は、レガシーシステムがＵＬサブフレームに対してＰＵＳＣモード及びＡＭＣモードの両方で動作するときの本発明の他の実施例に係る例示的な論理多重化構造を示す図である。
【００６０】
図１６の多重化構造は、図１５の多重化構造が変形されたものと見なされる。図１６によれば、「１６ｅ  ＡＭＣ」のための資源とＦＤＭ方式で多重化されるゾーン１６０２内の「全てのタイプの１６ｍ割り当て」のための全ての資源は、その次の隣接した各サブフレームに拡張される（Ａ）。このように拡張された各資源は、帯域―スケジューリング利得又はダイバーシティ利得よりパワー最適化が重要に見なされる各ＭＳ又はセル端に位置した各ＭＳのみのために割り当てられる。一方、上述した拡張された各資源を補完し、「１６ｅ  ＡＭＣ」のための資源とＴＤＭ方式で多重化されるゾーン１６０３内の「全てのタイプの１６ｍ割り当て」のための資源（Ｂ）は、セル端に位置していない各ＭＳ又はパワー最適化にそれほど敏感でない各ＭＳのみに対して割り当てられる。
【００６１】
図１７は、レガシーシステムがＵＬサブフレームに対してＰＵＳＣモード及びＡＭＣモードの両方で動作するときの本発明の他の実施例に係る例示的な論理多重化構造を示す図である。図１７を参照すれば、それぞれのサブフレーム１７０１、１７０２、１７０３の少なくとも一部は、「１６ｅ  ＰＵＳＣ」のための資源又は「１６ｅ  ＡＭＣ」のための資源に対して割り当てられることが分かる。この多重化構造で、「１６ｅ  ＰＵＳＣ」のための資源は、「全てのタイプの１６ｍ割り当て」のための資源とＴＤＭ方式で多重化され、「１６ｅ  ＰＵＳＣ」のための資源は、「１６ｅ  ＡＭＣ」のための資源とＴＤＭ方式で分離され、「１６ｅ  ＡＭＣ」のための資源は、「全てのタイプの１６ｍ割り当て」のための資源とＦＤＭ方式のみで多重化される。したがって、ゾーン１７０２内の１６ｍのための全ての資源は、アップリンクカバレッジの増大のために、その次のサブフレームにまで拡張される。
【００６２】
図１７の多重化構造によれば、１６ｍ資源割り当てに対するレガシー１６ｅシステムの否定的な効果が最小化されるが、これは、１６ｍ資源割り当ての周波数粒度が「１６ｅ  ＰＵＳＣ」によって影響を受けないためである。さらに、１８個のサブキャリア及び６個のＯＦＤＭＡシンボルからなるＰＲＵが「１６ｍ」のために使用される場合、１６ｍ資源割り当てに対するレガシー１６ｅシステムの否定的な効果が最小化されるが、これは、「１６ｍ」の周波数粒度が「１６ｅ  ＡＭＣ」の周波数粒度と同一であるためである。
【００６３】
本発明によれば、１６ｅ又は１６ｍの資源割り当てを含むゾーン構成に関する情報は、ＩＥＥＥ  ８０２．１６  ＭＳにシグナリングされる。このシグナリングは、ブロードキャストタイプで伝送される。例えば、この情報は、ＰＵＳＣ及びＡＭＣモードのうちいずれのモードによって１６ｅシステムが各サブフレームで作動するかをシグナリングすることができる。更に他の例として、「１６ｅ」のための資源がＡＭＣモードで作動しているサブフレームで「１６ｍ」のための資源がＦＤＭ方式で多重化されるとき、「１６ｅ  ＡＭＣ」の資源割り当てに対する情報はＩＥＥＥ  ８０２．１６ｍ  ＭＳにシグナリングされる。更に他の例として、「１６ｅ」がＰＵＳＣモードで作動しているサブフレームで「１６ｍ」のための資源がＦＤＭ方式で多重化されるとき、「１６ｍ」のための資源が１６ｅのタイル／パーミュテーション規則と同一の規則をサポートしたり、又は「１６ｅ  ＰＵＳＣ」の粒度と互換性を有する粒度をサポートする場合、「１６ｅ  ＰＵＳＣ」の資源割り当てに対する情報又は「１６ｍ」の資源割り当てに対する情報はＩＥＥＥ  ８０２．１６ｍ  ＭＳにシグナリングされる。「１６ｅ  ＰＵＳＣ」又は「１６ｍ」の資源割り当て情報を与えるのは、１６ｅ  ＰＵＳＣと１６ｍがＦＤＭで多重化されていることから、１６ｍの可用資源に対する情報を与えることを意味する。すなわち、１０ＭＨｚシステム帯域幅（４８ＰＲＵ）を仮定した場合、１６ｅ  ＰＵＳＣが２０個のサブチャンネルを使用するのは、１６ｍが４８−２０＝２８個のサブチャンネルを使用するのと同一の意味であると見なされるので、１６ｅ  ＰＵＳＣが使用するサブチャンネルの情報を知らせることもでき、１６ｍが使用可能なサブチャンネルの情報を知らせることもできる。
【００６４】
本発明によれば、上述した各実施例で論議された多重化構造の「１６ｅ  ＰＵＳＣ」、「１６ｅ  ＡＭＣ」、「１６ｍ」のための各ゾーンは、１個のサブフレーム又は多数のサブフレームの時間長さを有することができる。また、ゾーンを分離する方式は、使用可能なアップリンクサブフレームの個数によって変わり得る。
【００６５】
本発明の上述した各実施例で、１６ｍシステムに対するレガシーシステムの影響を減らすために「１６ｍ」が１６ｅレガシーシステムのタイル／パーミュテーション規則と同一の規則をサポートしたり、又は「１６ｅ  ＰＵＳＣ」のための資源及び／又は「１６ｅ  ＡＭＣ」のための資源の粒度と互換性を有する粒度をサポートすることが望ましいと論議された。本発明によれば、粒度の側面で、レガシーシステムと互換性を有する１６ｍの各ＰＲＵが提供される。以下、本発明に係るＰＲＵの構造を説明する。
【００６６】
従来のシステムのダウンリンクＰＲＵの資源の大きさは、１８個のサブキャリア及び６個のＯＦＤＭＡシンボルによって定義される。ダウンリンクＰＲＵとの共通点を提供するために、アップリンクＤＵＲの資源の大きさは、ダウンリンクＰＲＵと同様に、１８個のサブキャリア及び６個のＯＦＤＭＡシンボルであることが望ましい。１８個のサブキャリア及び６個のＯＦＤＭＡシンボルのＰＲＵを採択することによって得られる利点は、関連産業分野でダウンリンクＰＨＹ構造と関連して充分に論議・証明された。
【００６７】
図１８は、単一化された基本データ割り当て構造及び／又はパイロット送信構造を要求するアップリンクＰＨＹ構造の例を示す図である。パーミュテーション規則は、図１８の周波数軸で区分されている。
【００６８】
これから、基本データ割り当て構造はＰＲＵ（物理資源ユニット）と称する。ＰＲＵは、サブチャンネル化及びデータ送信のためのスケジューリングのデータ／制御情報の割り当てを行うとき、データ割り当てのための最小構造として機能し、基本データ送信ユニットとして機能する。すなわち、ローカル型パーミュテーションのためのスケジューリングは複数のＰＲＵ単位に行われ、基本データ送信ユニットは一つのＰＲＵ単位で行われる。このとき、サブキャリア、ＭＲＵ（ｍｉｎｉ  ＰＲＵ）及び各ＰＲＵは、分散パーミュテーションのための基本ユニットとして機能することができる。例えば、ＬＴＥシステムで、ＰＲＵは一つの資源ブロック（Ｒｅｓｏｕｒｃｅ  Ｂｌｏｃｋ、ＲＢ）に対応し、従来の８０２．１６ｅシステムで、ＰＲＵは「スロット」に対応する。ＰＲＵを設計するとき、周波数及び時間領域でＰＲＵの粒度を決定する必要がある。フレームが一つ以上のサブフレームに分割されるとき、一つのサブフレームを構成するＯＦＤＭＡシンボルの個数が一つのＰＲＵのＯＦＤＭＡシンボルの個数と同一である場合、ＰＲＵは、周波数領域でＰＲＵを構成するサブキャリアの個数によって決定される。一つのサブフレームを構成するＯＦＤＭＡシンボルの個数が一つのＰＲＵのＯＦＤＭＡシンボルの個数と同一でない場合、ＰＲＵは、時間領域でのＯＦＤＭＡシンボルの個数と周波数領域でのサブキャリアの個数によって決定される。
【００６９】
図１９は、資源割り当てのためのＰＲＵの例示的な設計を示す図である。
【００７０】
アップリンクのために適用可能な一つ以上のレガシーサポート方式が存在する場合、すなわち、ＴＤＭレガシーサポート方式とＦＤＭレガシーサポート方式の両方を考慮する場合、各方式によって互いに異なるＰＲＵがそれぞれ要求される。例えば、従来のＩＥＥＥ  ８０２．１６ｅレガシーシステムと新しいＩＥＥＥ  ８０２．１６ｍシステムの両方が同時にアップリンクフレームのためにサポートされるとき、従来のシステムと新しいシステムのために資源を分離するＴＤＭ及びＦＤＭ方式などの多重化方式によって互いに異なるＰＲＵが要求される。また、ＰＲＵの設計のために、アップリンクフレームは、例えば、ＩＥＥＥ  ８０２．１６ｅレガシーシステムをサポートせず、ＩＥＥＥ  ８０２．１６ｍのみをサポートする、すなわち、多数のシステムのうちいずれか一つのレガシーシステムはサポートしないレガシー不能モードを考慮しなければならない。
【００７１】
レガシーサポートのために可能な多重化シナリオは、次の通りである。１．ＴＤＭ方式のレガシーサポートシナリオ。２．ＦＤＭ方式のレガシーサポートシナリオ（ＡＭＣモード）。３．レガシー不能シナリオ、４．ＦＤＭ方式のレガシーサポートシナリオ（ＰＵＳＣモード）。本発明では、各シナリオに対するアップリンクＰＲＵが提供される。特に、これら構造は、アップリンクのための基本データ割り当て構造として使用される。
【００７２】
図２０は、本発明の一実施例に係るＰＲＵを示す図である。図２０を参照すれば、ＰＲＵは、周波数軸での１８個のサブキャリア及び時間軸での６個のＯＦＤＭＡシンボルで構成される。
【００７３】
本発明によれば、図２０のＰＲＵは、ＴＤＭ方式のレガシーサポートシナリオのために使用される。図２０によるＰＲＵは、データ割り当てのための最小ユニットの基本構造であり、データ送信のスケジューリングのためのデータ／制御情報の割り当て及び資源ブロックのチャンネル化を行うときに基本データ送信ユニットとして機能する。スケジューリングは、本発明によれば、一つのＰＲＵ単位又は複数のＰＲＵ単位で起こる。本発明によれば、一つのＰＲＵ内に１０８個のトーンが存在し、このうち一部は、データサブキャリア、パイロットサブキャリア又は制御信号領域に割り当てられる。新しいシステム、すなわち、１６ｍシステムが従来のＩＥＥＥ  ８０２．１６ｅシステムの基本数値を採択すれば、サブキャリア間隔が１０．９３７５ｋＨｚになり、総１８個のサブキャリアは帯域―スケジューリングに適した２００ｋＨｚの大きさを有することができる。このとき、「１８」という数字は、多くの約数を有することができる。したがって、一つのＰＲＵが総１８個のサブキャリアを有するように設計するのは、分散サブチャンネル化のために有利である。また、新しいシステム（例えば、１６ｍ）の送信フレームがそれぞれ６個のＯＦＤＭＡシンボルからなる多数のサブフレームで構成される場合、一つのＰＲＵが６個のＯＦＤＭＡシンボルを有するように設計するのは、１次元資源割り当てのために有利である。また、１８個のサブキャリア及び６個のＯＦＤＭＡシンボルからなるＰＲＵは、ダウンリンクＰＲＵが１８個のサブキャリア及び６個のＯＦＤＭＡシンボルからなるとき、アップリンクとダウンリンクとの間の共通性を提供するのに有利である。
【００７４】
本発明によれば、図２０のＰＲＵは、ＦＤＭ方式のレガシーサポートシナリオ（ＡＭＣモードで）のために使用される。図２０によるＰＲＵは、データ割り当てのための最小ユニットの基本構造であり、データ送信スケジューリングのためのデータ／制御情報の割り当て及び資源ブロックのチャンネル化を行うときに基本データ送信ユニットとして機能する。本発明によれば、スケジューリングは、複数のＰＲＵ又は一つのＰＲＵ単位で起こる。ここで、スケジューリングは、制御情報が割り当てられる範囲を決定することを意味する。本発明によれば、一つのＰＲＵ内に総１０８個のトーンが存在する。このうち一部は、データサブキャリア、パイロットサブキャリア又は制御信号領域として機能する。一つのＰＲＵが１８個のサブキャリアを有するように設計するのは、レガシーシステムがＦＤＭ方式でサポートされるときに従来のＡＭＣモードをサポートするのに有利であり、分散サブチャンネル化のために有利であるが、これは、１８という数字が多くの約数を有するためである。また、一つのＰＲＵが総６個のＯＦＤＭＡシンボルを有するように設計するのは、新しいシステム（例えば、ＩＥＥＥ  ８０２．１６ｍ）の送信フレームが６個のＯＦＤＭＡシンボルからなる複数のサブフレームで構成される場合、１次元資源割り当てのために有利である。また、１８個のサブキャリア及び６個のＯＦＤＭＡシンボルからなるＰＲＵは、ダウンリンクＰＲＵが１８個のサブキャリア及び６個のＯＦＤＭＡシンボルからなるとき、アップリンクとダウンリンクとの間の共通性を提供するのに有益である。
【００７５】
本発明によれば、図２０のＰＲＵは、レガシー不能シナリオのために使用されることもある。図２０によるＰＲＵは、データ割り当てのための最小ユニットの基本構造であり、データ送信のスケジューリングのためのデータ／制御情報の割り当て及び資源ブロックのチャンネル化を行うときに基本データ送信ユニットとして機能する。本発明によれば、スケジューリングは、一つのＰＲＵ又は多数のＰＲＵ単位で起こる。本発明によれば、一つのＰＲＵ内には総１０８個のトーンが存在し、このうち一部は、データサブキャリア、パイロットサブキャリア又は制御信号領域として割り当てられる。サブキャリア間隔が１０．９３７５ＫＨｚになるように新しいシステムが従来のＩＥＥＥ  ８０２．１６ｅシステムの基本数値を採択すれば、総１８個のサブキャリアは帯域―スケジューリングに適した２００ｋＨｚの大きさを有することができ、１８という数字は多くの約数を有することができる。したがって、一つのＰＲＵが総１８個のサブキャリアを有するように設計するのは、分散サブチャンネル化のために有利である。また、新しいシステム（例えば、ＩＥＥＥ  ８０２．１６ｍ）の送信フレームが６個のＯＦＤＭＡシンボルで構成される多数のサブフレームからなる場合、一つのＰＲＵが総６個のＯＦＤＭＡシンボルを有するように設計するのは、１次元資源割り当てのために有利である。また、１８個のサブキャリア及び６個のＯＦＤＭＡシンボルからなるＰＲＵは、ダウンリンクＰＲＵが１８個のサブキャリア及び６個のＯＦＤＭＡシンボルからなるとき、アップリンクとダウンリンクとの間に共通性を提供するのに有利である。
【００７６】
図２１は、本発明の他の実施例に係るＰＲＵを示す図である。図２１を参照すれば、ＰＲＵは、周波数軸での１６個のサブキャリア及び時間軸での６個のＯＦＤＭＡシンボルで構成される。
【００７７】
本発明によれば、図２１のＰＲＵは、ＦＤＭ方式のレガシーサポートシナリオのために使用される（ＰＵＳＣモード）。図２１によるＰＲＵは、データ割り当てのための最小ユニットの基本構造であり、データ送信のスケジューリングのためのデータ／制御情報の割り当て及び資源ブロックのチャンネル化を行うときに基本データ送信ユニットとして機能する。本発明によれば、スケジューリングは、複数のＰＲＵ又は一つのＰＲＵ単位で起こる。本発明によれば、一つのＰＲＵ内には総９６個のトーンが存在し、このうち一部は、データサブキャリア、パイロットサブキャリア又は制御信号領域として割り当てられる。新しい１６ｍシステム及び従来の１６ｅシステムはアップリンクフレームで共存するが、これは、一つのＰＲＵ内の１６個のサブキャリアが４個のサブキャリアの倍数であることから、図２１のＰＲＵがＩＥＥＥ  ８０２．１６ｅレガシーシステムの数値共通性に対して容易に適応されるためである。ここで、上述した４個のサブキャリアという数字は、従来のシステムのサブチャンネル化のために使用される基本サイズである。
【００７８】
図２２は、本発明の他の実施例に係るＰＲＵを示す図である。図２２を参照すれば、ＰＲＵは、周波数軸での２０個のサブキャリア及び時間軸での６個のＯＦＤＭＡシンボルで構成される。
【００７９】
本発明によれば、図２２のＰＲＵは、ＦＤＭ方式のレガシーサポートモード（ＰＵＳＣモード）のために使用される。図２２によるＰＲＵは、データ割り当てのための最小ユニットの基本構造であり、データ送信のスケジューリングのためのデータ／制御情報の割り当て及び資源ブロックのチャンネル化を行うときに基本データ送信ユニットとして機能する。本発明によれば、スケジューリングは、複数のＰＲＵ又は一つのＰＲＵ単位で起こる。本発明によれば、一つのＰＲＵ内には総１２０個のトーンが存在し、このうち一部は、データサブキャリア、パイロットサブキャリア又は制御信号領域として割り当てられる。新しい１６ｍシステム及び従来の１６ｅシステムはアップリンクフレームで共存するが、これは、一つのＰＲＵ内の２０個のサブキャリアが４個のサブキャリアの倍数であることから、図２２のＰＲＵがＩＥＥＥ  ８０２．１６ｅレガシーシステムの数値共通性に対して容易に適応されるためである。ここで、上述した４個のサブキャリアという数字は、従来のシステムのサブチャンネル化のために使用される基本サイズである。
【００８０】
本発明の他の実施例によれば、レガシーサポートモードは変更可能であり、ＴＤＭ／ＦＤＭレガシーサポートモードが同一のアップリンクフレームでサポートされたり、又はＴＤＭ／ＦＤＭレガシーサポートモードだけでなく、レガシー不能モードも同一の複数のフレーム又は同一のスーパーフレーム内でサポートされる環境で、互いに異なる大きさのＰＲＵ（例えば、１８＊６、１６＊６又は２０＊６）が変更されたレガシーサポートモードによって適用されるように、前記レガシーサポートモードの変更がシグナリングされる。このようなシグナリングは、フレームごとに制御チャンネルを介して送信されたり（例えば、サブマップ（ｓｕｂ―ｍａｐ））、又はスーパーフレーム当たりの制御チャンネルを介して送信される（例えば、スーパーマップ（ｓｕｐｅｒ―ｍａｐ））。このシグナリングは、周期的に送信されたり、又は、必要であれば、特定イベントが発生する場合に送信される。
【００８１】
表１は、本発明によって１８個のサブキャリア及び６個のＯＦＤＭＡシンボルからなるＰＲＵが使用されるときに適用可能なサブキャリア構成の一例を示すものである。
【００８２】
【表１】
2011512746.tif 000003
表２は、本発明によって１６個のサブキャリア及び６個のＯＦＤＭＡシンボルからなるＰＲＵが使用されるときに適用可能なサブキャリア構成の一例を示すものである。
【００８３】
【表２】
2011512746.tif 000004
図２０の１８個のサブキャリア及び６個のＯＦＤＭＡシンボルからなるＰＲＵによれば、最適な帯域スケジューリング性能を得ることができ、資源割り当てのためのオーバーヘッドのシグナリングが最小化されるが、これは、帯域スケジューリングに有利な周波数サブキャリアの大きさ（すなわち、１８個のサブキャリア）が適用されるためである。図２１又は図２２の１８又は２０個のサブキャリア及び６個のＯＦＤＭＡシンボルからなるＰＲＵによれば、レガシーシステムがＦＤＭによってサポートされるときに柔軟なサブチャンネル化が可能である。
【００８４】
アップリンク送信フレーム／サブフレームに対して、様々な理由によって、ダウンリンク送信に比べてより長いサブフレーム（又は各サブフレームからなるセット）を定義しなければならない場合がある。この場合、本発明の他の実施例によれば、図２０〜図２２のＰＲＵは、６個のＯＦＤＭＡシンボルよりは１２個のＯＦＤＭＡシンボルに変形される。図２０から変形されたＰＲＵは１８個のサブキャリア及び１２個のＯＦＤＭＡシンボルからなり、総２１６個のトーンを有するが、このうち一部は、データサブキャリア、パイロットサブキャリア又は制御チャンネルサブキャリアとして割り当てられる。これと同様に、図２１から変形されたＰＲＵは、１６個のサブキャリア及び１２個のＯＦＤＭＡシンボルからなり、総１９２個のトーンを有するが、このうち一部は、データサブキャリア、パイロットサブキャリア又は制御チャンネルサブキャリアとして割り当てられる。これと同様に、図２２から変形されたＰＲＵは、２０個のサブキャリア及び１２個のＯＦＤＭＡシンボルからなり、総２４０個のトーンを有するが、このうち一部は、データサブキャリア、パイロットサブキャリア又は制御チャンネルサブキャリアとして割り当てられる。
【００８５】
本発明の他の実施例によれば、アップリンクＰＲＵは３６個のサブキャリア及び６個のＯＦＤＭＡシンボルで構成され、このアップリンクＰＲＵは、ＦＤＭ方式のレガシーサポートシナリオ（ＰＵＳＣモード）に対しても適用される。従来のアップリンク１６ｅシステムでは、分散サブチャンネル化を適用しにくかったが、これは、分散サブチャンネル化は４個のサブキャリアで構成される各タイルを組み合わせることによって適用されるが、このとき、４が１８の約数でないためである。したがって、ＰＲＵが３６個のサブキャリア及び６個のＯＦＤＭＡシンボルで構成される場合、分散サブチャンネル化は従来のアップリンク１６ｅシステムのために具現されるが、これは、４が３６の約数であるためである。この実施例で、３６個のサブキャリア及び６個のＯＦＤＭＡシンボルからなるＰＲＵは、基本割り当てユニットとして、又は１８個のサブキャリア及び６個のＯＦＤＭＡシンボルからなるＰＲＵの一対として適用される。
【００８６】
図２３は、図１３Ｂ及び図１３Ｃの方法を含み、図３〜図１７及び図２０〜図２２の各データ構造を交換可能な無線通信システムの構造を示す図である。この無線通信システムは、Ｅ―ＵＭＴＳ（ｅｖｏｌｖｅｄ―ｕｎｉｖｅｒｓａｌ  ｍｏｂｉｌｅ  ｔｅｌｅｃｏｍｍｕｎｉｃａｔｉｏｎｓ  ｓｙｓｔｅｍ）のネットワーク構造を有することができる。また、Ｅ―ＵＭＴＳは、ＬＴＥ（ｌｏｎｇ  ｔｅｒｍ  ｅｖｏｌｕｔｉｏｎ）システムと呼ばれる。この無線通信システムは、音声、パケットデータなどの多様な通信サービスを提供するために幅広く採択される。
【００８７】
図２３を参照すれば、Ｅ―ＵＴＲＡＮ（ｅｖｏｌｖｅｄ―ＵＭＴＳ  ｔｅｒｒｅｓｔｒｉａｌ  ｒａｄｉｏ  ａｃｃｅｓｓ  ｎｅｔｗｏｒｋ）は、制御プレーン及びユーザプレーンを提供する一つ以上のＢＳ（Ｂａｓｅ  ｓｔａｔｉｏｎ、基地局）２０を有する。
【００８８】
ユーザ機器（Ｕｓｅｒ  Ｅｑｕｉｐｍｅｎｔ、ＵＥ）１０は、固定又は移動可能であり、移動局（ｍｏｂｉｌｅ  ｓｔａｔｉｏｎ、ＭＳ）、ユーザ端末（ｕｓｅｒ  ｔｅｒｍｉｎａｌ、ＵＴ）、加入者局（ｓｕｂｓｃｒｉｂｅｒ  ｓｔａｔｉｏｎ、ＳＳ）、無線機器などの他の用語で称される。ＢＳ２０は、ＵＥ１０と通信する、通常、固定された局であり、ｅＮＢ（ｅｖｏｌｖｅｄ  ｎｏｄｅ―Ｂ）、ＢＴＳ（ｂａｓｅ  ｔｒａｎｓｃｅｉｖｅｒ  ｓｙｓｔｅｍ）、接続ポイント（ａｃｃｅｓｓ  ｐｏｉｎｔ）などの他の用語で称されることもある。ＢＳ２０のカバレッジ内には一人以上がセルが存在する。ユーザトラフィック又は制御トラフィックを送信するインターフェースは、各ＢＳ２０間で使用される。以下、ダウンリンクはＢＳ２０からＵＥ１０への通信リンクとして定義され、アップリンクはＵＥ１０からＢＳ２０までの通信リンクとして定義される。
【００８９】
各ＢＳ２０は、Ｘ２インターフェースによって互いに連結される。また、各ＢＳ２０は、Ｓ１インターフェースによってＥＰＣ（ｅｖｏｌｖｅｄ  ｐａｃｋｅｔ  ｃｏｒｅ）に連結され、特に、ＭＭＥ（ｍｏｂｉｌｉｔｙ  ｍａｎａｇｅｍｅｎｔ  ｅｎｔｉｔｙ）／Ｓ―ＧＷ（ｓｅｒｖｉｎｇ  ｇａｔｅｗａｙ）３０に連結される。Ｓ１インターフェースは、ＢＳ２０とＭＭＥ／Ｓ―ＧＷ３０との間の多対多（ｍａｎｙ―ｔｏ―ｍａｎｙ）連結をサポートする。
【００９０】
図２４は、装置５０の各構成要素を示すダイアグラムである。この装置５０は、図２３のＵＥ又はＢＳである。また、この装置５０は、図３〜図１７及び図２０〜図２２の各データ構造を交換することができる。装置５０は、プロセッサ５１、メモリ５２、無線周波数ユニット（ＲＦユニット）５３、ディスプレイユニット５４及びユーザインターフェースユニット５５を含む。無線インターフェースプロトコルの各レイヤーは、プロセッサ５１内で具現される。プロセッサ５１は、制御プレーン及びユーザプレーンを提供する。各レイヤーの機能はプロセッサ５１内で具現される。プロセッサ５１は、競合解決タイマー（ｃｏｎｔｅｎｔｉｏｎ  ｒｅｓｏｌｕｔｉｏｎ  ｔｉｍｅｒ）を含むことができる。メモリ５２は、プロセッサ５１に連結され、オペレーティングシステム、アプリケーション及び一般のファイルを格納する。装置５０がＵＥである場合、ディスプレイユニット５４は、多様な情報をディスプレイし、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）などのよく知られた要素を使用することができる。ユーザインターフェースユニット５５は、キーパッド、タッチスクリーンなどのよく知られたユーザインターフェースの組み合わせで構成される。ＲＦユニット５３は、プロセッサ５１に連結され、無線信号を送受信することができる。
【００９１】
ＵＥとネットワークとの間の無線インターフェースプロトコルの各レイヤーは、通信システムでよく知られたＯＳＩ（ｏｐｅｎ  ｓｙｓｔｅｍ  ｉｎｔｅｒｃｏｎｎｅｃｔｉｏｎ）モデルの下位３個のレイヤーに基づいて第１のレイヤー（Ｌ１）、第２のレイヤー（Ｌ２）及び第３のレイヤー（Ｌ３）に分類される。物理レイヤー又はＰＨＹレイヤーは、前記第１のレイヤーに属し、物理チャンネルを介して情報伝送サービスを提供する。ＲＲＣ（ｒａｄｉｏ  ｒｅｓｏｕｒｃｅ  ｃｏｎｔｒｏｌ）レイヤーは、前記第３のレイヤーに属し、ＵＥとネットワークとの間の各制御無線資源を提供する。ＵＥとネットワークは、ＲＲＣレイヤーを介して各ＲＲＣメッセージを交換する。
【００９２】
また、本技術分野の熟練された者であれば、上述した各実施例に対して、周波数領域で分散された複数の各タイルが一つの分散資源ユニット（ｄｉｓｔｒｉｂｕｔｅｄ  ｒｅｓｏｕｒｃｅ  ｕｎｉｔ、ＤＲＵ）を形成可能であることを理解するであろう。
【００９３】
この技術分野の熟練された者にとって、本発明の思想から逸脱しない範囲で本発明の多様な変形が可能であることは明白であろう。したがって、本発明は、添付した特許請求の範囲とその等価物の範囲内で多様な変形を行えるように意図された。
【産業上の利用可能性】
【００９４】
本発明は、ＩＥＥＥ  Ｓｔａｎｄａｒｄ  ８０２．１６ｅシステムをサポートする各システムに適用可能である。
【図１】
2011512746.tif 000005
【図２】
2011512746.tif 000006
【図３】
2011512746.tif 000007
【図４】
2011512746.tif 000008
【図５】
2011512746.tif 000009
【図６】
2011512746.tif 000010
【図７】
2011512746.tif 000011
【図８】
2011512746.tif 000012
【図９】
2011512746.tif 000013
【図１０】
2011512746.tif 000014
【図１１】
2011512746.tif 000015
【図１２】
2011512746.tif 000016
【図１３Ａ】
2011512746.tif 000017
【図１３Ｂ】
2011512746.tif 000018
【図１３Ｃ】
2011512746.tif 000019
【図１４】
2011512746.tif 000020
【図１５】
2011512746.tif 000021
【図１６】
2011512746.tif 000022
【図１７】
2011512746.tif 000023
【図１８】
2011512746.tif 000024
【図１９】
2011512746.tif 000025
【図２０】
2011512746.tif 000026
【図２１】
2011512746.tif 000027
【図２２】
2011512746.tif 000028
【図２３】
2011512746.tif 000029
【図２４】
2011512746.tif 000030
【国際調査報告】
2011512746.tif 000031
2011512746.tif 000032